(57)【要約】【課題】マクロセルを管理する無線基地局ｅＮＢ＃１及びスモールセルを管理する無線基地局ｅＮＢ＃１０を用いた「Ｉｎｔｅｒ-ｅＮＢ  ＣＡ」が行われている状況下で、スモールセルにおける移動局ＵＥに対するリソース割り当てを行う際の無線基地局ｅＮＢ３１/ｅＮＢ＃１０の役割を適切に規定する。【解決手段】本発明に係る移動通信システムでは、無線基地局ｅＮＢ＃１は、無線基地局ｅＮＢ＃１０に対して、スモールセルにおけるリソースに係る情報に基づいて、かかるスモールセルにおける移動局ＵＥに対するリソース割り当てを行い、かかるリソース割り当て結果を含むＲＲＣメッセージを生成して移動局ＵＥに対して送信し、無線基地局ｅＮＢ＃１０に対して、上述のリソース割り当て結果を通知し、無線基地局ｅＮＢ＃１０は、上述のリソース割り当て結果に基づいて、Ｕ-ｐｌａｎｅ用のＰＤＣＰレイヤ機能等の設定を行う。【選択図】図３
2015012418.tif 000002
【特許請求の範囲】
【請求項１】
マクロセルを管理する第１無線基地局と、スモールセルを管理する第２無線基地局とを具備する移動通信システムであって、
前記第１無線基地局は、前記第２無線基地局から、前記スモールセルにおけるリソースに係る情報を取得するように構成されており、
前記第１無線基地局は、前記リソースに係る情報に基づいて、前記スモールセルにおける移動局に対するリソース割り当てを行うように構成されており、
前記第１無線基地局は、前記スモールセルにおける前記移動局に対するリソース割り当て結果を含むＲＲＣメッセージを生成して該移動局に対して送信するように構成されており、
前記第１無線基地局のＸ２’-ＡＰ機能は、前記第２無線基地局のＸ２’-ＡＰ機能に対して、前記リソース割り当て結果を通知するように構成されており、
前記第２無線基地局は、前記リソース割り当て結果に基づいて、Ｕ-ｐｌａｎｅ用のＰＤＣＰレイヤ機能、ＲＬＣレイヤ機能及びＭＡＣレイヤ機能の設定を行うように構成されていることを特徴とする移動通信システム。
【請求項２】
前記第１無線基地局のＸ２’-ＡＰ機能は、前記第２無線基地局のＸ２’-ＡＰ機能に対して、Ｘ２-ＡＰメッセージを用いて、前記リソース割り当て結果を通知するように構成されており、
前記第２無線基地局のＸ２’-ＡＰ機能は、前記リソース割り当て結果に基づいて、Ｕ-ｐｌａｎｅ用のＰＤＣＰレイヤ機能、ＲＬＣレイヤ機能及びＭＡＣレイヤ機能の設定を行うように構成されていることを特徴とする請求項１に記載の移動通信システム。
【請求項３】
前記第２無線基地局のＸ２’-ＡＰ機能は、前記ＰＤＣＰレイヤ機能、前記ＲＬＣレイヤ機能及び前記ＭＡＣレイヤ機能との間の内部インターフェイスを具備しており、
前記第２無線基地局のＸ２’-ＡＰ機能は、前記内部インターフェイスを用いて、前記リソース割り当て結果に基づいて、前記ＰＤＣＰレイヤ機能、前記ＲＬＣレイヤ機能及び前記ＭＡＣレイヤ機能の設定を行うように構成されていることを特徴とする請求項２に記載の移動通信システム。
【請求項４】
前記第１無線基地局のＸ２’-ＡＰ機能は、前記第２無線基地局のＸ２’-ＡＰ機能に対して、前記リソース割り当て結果に基づいて決定された設定情報を含むトランスペアレントコンテナを送信するように構成されており、
前記第２無線基地局のＸ２’-ＡＰ機能は、該第２無線基地局におけるＵ-ｐｌａｎｅ用のＰＤＣＰレイヤ機能、ＲＬＣレイヤ機能及びＭＡＣレイヤ機能に対して、前記トランスペアレントコンテナを転送するように構成されており、
前記第２無線基地局におけるＵ-ｐｌａｎｅ用のＰＤＣＰレイヤ機能、ＲＬＣレイヤ機能及びＭＡＣレイヤ機能は、該第２無線基地局のＸ２’-ＡＰ機能から取得した前記トランスペアレントコンテナに含まれる前記設定情報に基づいて設定を行うように構成されていることを特徴とする請求項１に記載の移動通信システム。
【請求項５】
マクロセルを管理する第１無線基地局と、スモールセルを管理する第２無線基地局とを具備する移動通信システムであって、
前記第２無線基地局は、前記スモールセルにおける移動局に対するリソース割り当てを行うように構成されており、
前記第２無線基地局のＲＲＣレイヤ機能は、前記スモールセルにおける前記移動局に対するリソース割り当て結果に基づいて、Ｕ-ｐｌａｎｅ用のＰＤＣＰレイヤ機能、ＲＬＣレイヤ機能及びＭＡＣレイヤ機能の設定を行うように構成されており、
前記第２無線基地局は、前記リソース割り当て結果を含むＲＲＣメッセージを生成するように構成されており、
前記第２無線基地局のＸ２’-ＡＰ機能は、前記第１無線基地局のＸ２’-ＡＰ機能に対して、前記ＲＲＣメッセージを通知するように構成されており、
前記第１無線基地局は、前記移動局に対して、前記ＲＲＣメッセージを通知するように構成されていることを特徴とする移動通信システム。
【請求項６】
前記第１無線基地局は、前記第２無線基地局に対して、前記移動局の能力情報を通知するように構成されており、
前記第２無線基地局は、前記移動局の能力情報に基づいて、前記リソース割り当てを行うように構成されていることを特徴とする請求項５に記載の移動通信システム。
【請求項７】
マクロセルを管理する第１無線基地局と、スモールセルを管理する第２無線基地局とを具備する移動通信システムであって、
前記第２無線基地局は、前記スモールセルにおける移動局に対するリソース割り当てを行うように構成されており、
前記第２無線基地局のＲＲＣレイヤ機能は、前記スモールセルにおける前記移動局に対するリソース割り当て結果に基づいて、Ｕ-ｐｌａｎｅ用のＰＤＣＰレイヤ機能、ＲＬＣレイヤ機能及びＭＡＣレイヤ機能の設定を行うように構成されており、
前記第２無線基地局は、前記リソース割り当て結果を含むＲＲＣメッセージを生成するように構成されており、
前記第２無線基地局は、前記第１無線基地局を介さずに、直接、前記移動局に対して、前記ＲＲＣメッセージを通知するように構成されていることを特徴とする移動通信システム。
【請求項８】
前記第１無線基地局は、前記第２無線基地局に対して、前記移動局の能力情報を通知するように構成されており、
前記第２無線基地局は、前記移動局の能力情報に基づいて、前記リソース割り当てを行うように構成されていることを特徴とする請求項７に記載の移動通信システム。
【請求項９】
マクロセルを管理する第１無線基地局と、スモールセルを管理する第２無線基地局とを具備する移動通信システムであって、
前記第２無線基地局は、前記スモールセルにおける移動局に対するリソース割り当てを行うように構成されており、
前記第２無線基地局のＲＲＣレイヤ機能は、前記スモールセルにおける前記移動局に対するリソース割り当て結果に基づいて、Ｕ-ｐｌａｎｅ用のＰＤＣＰレイヤ機能、ＲＬＣレイヤ機能及びＭＡＣレイヤ機能の設定を行うように構成されており、
前記第２無線基地局は、前記リソース割り当て結果を含むＲＲＣメッセージを生成するように構成されており、
前記第２無線基地局は、無線状況又は事前設定に基づいて、前記ＲＲＣメッセージを、前記第１無線基地局を介さずに直接前記移動局に送信するか、前記第１無線基地局を介して前記移動局に送信するかについて決定するように構成されている移動通信システム。
【発明の詳細な説明】
【技術分野】
【０００１】
本発明は、移動通信システムに関する。
【背景技術】
【０００２】
ＬＴＥ（Ｌｏｎｇ  Ｔｅｒｍ  Ｅｖｏｌｕｔｉｏｎ）のＲｅｌ-１２方式において、「Ｓｍａｌｌ  Ｃｅｌｌ  Ｅｎｈａｎｃｅｍｅｎｔ（ＳＣＥ）  ｗｏｒｋ  ｉｔｅｍ」が議論されている。
【０００３】
「Ｓｍａｌｌ  Ｃｅｌｌ  Ｅｎｈａｎｃｅｍｅｎｔ（ＳＣＥ）」の目的は、スループット向上及び「Ｍｏｂｉｌｉｔｙ  ｒｏｂｕｓｔｎｅｓｓ」である。
【０００４】
ここで、スループット向上を実現するために、「Ｓｍａｌｌ  Ｃｅｌｌ  Ｅｎｈａｎｃｅｍｅｎｔ（ＳＣＥ）」では、移動局ＵＥは、複数の無線基地局ｅＮＢのリソースをアグリゲートしてＵ-ｐｌａｎｅデータを送受信することができる。「Ｓｍａｌｌ  Ｃｅｌｌ  Ｅｎｈａｎｃｅｍｅｎｔ（ＳＣＥ）」では、「Ｉｎｔｒａ  ｅＮＢ  ＣＡ（Ｃａｒｒｉｅｒ  Ａｇｇｒｅｇａｔｉｏｎ）」だけでなく、「Ｉｎｔｅｒ  ｅＮＢ  ＣＡ（Ｉｎｔｅｒ  ｅＮＢ  ａｇｇｒｅｇａｔｉｏｎ）」も行うことができる。
【０００５】
また、マクロセルを管理する無線基地局ｅＮＢが、移動局ＵＥのモビリティを担保することによって、スモールセル（「Ｓｍａｌｌ  Ｃｅｌｌ」）を多数配置しても、スモールセル間のハンドオーバを行う必要がなく、マクロセル間のハンドオーバで品質を担保することができ、その結果、「Ｍｏｂｉｌｉｔｙ  ｒｏｂｕｓｔｎｅｓｓ」を実現することができる。
【０００６】
なお、スモールセルは、「ファントムセル（Ｐｈａｎｔｏｍ  Ｃｅｌｌ）」とも呼ばれる。
【先行技術文献】
【非特許文献】
【０００７】
【非特許文献１】３ＧＰＰ  ＴＳ３６.９３２
【発明の概要】
【発明が解決しようとする課題】
【０００８】
しかしながら、現在までに規定されている「Ｓｍａｌｌ  Ｃｅｌｌ  Ｅｎｈａｎｃｅｍｅｎｔ（ＳＣＥ）」のＣ-ｐｌａｎｅアーキテクチャーでは、移動局ＵＥに対するＲＲＣメッセージの送信方法や、スモールセルにおける移動局ＵＥに対するリソース割り当て方法について検討されていないという問題点があった。
【０００９】
そこで、本発明は、上述の課題に鑑みてなされたものであり、マクロセルを管理する無線基地局ｅＮＢ及びスモールセルを管理する無線基地局ｅＮＢを用いた「Ｉｎｔｅｒ-ｅＮＢ  ＣＡ」が行われている状況下で、スモールセルにおける移動局ＵＥに対するリソース割り当てを行う際の各無線基地局ｅＮＢ３１/ｅＮＢ＃１０の役割を適切に規定することができる移動通信システムを提供することを目的とする。
【課題を解決するための手段】
【００１０】
本発明の第１の特徴は、マクロセルを管理する第１無線基地局と、スモールセルを管理する第２無線基地局とを具備する移動通信システムであって、前記第１無線基地局は、前記第２無線基地局から、前記スモールセルにおけるリソースに係る情報を取得するように構成されており、前記第１無線基地局は、前記リソースに係る情報に基づいて、前記スモールセルにおける移動局に対するリソース割り当てを行うように構成されており、前記第１無線基地局は、前記スモールセルにおける前記移動局に対するリソース割り当て結果を含むＲＲＣメッセージを生成して該移動局に対して送信するように構成されており、前記第１無線基地局のＸ２’-ＡＰ機能は、前記第２無線基地局のＸ２’-ＡＰ機能に対して、前記リソース割り当て結果を通知するように構成されており、前記第２無線基地局は、前記リソース割り当て結果に基づいて、Ｕ-ｐｌａｎｅ用のＰＤＣＰレイヤ機能、ＲＬＣレイヤ機能及びＭＡＣレイヤ機能の設定を行うように構成されていることを要旨とする。
【００１１】
本発明の第２の特徴は、マクロセルを管理する第１無線基地局と、スモールセルを管理する第２無線基地局とを具備する移動通信システムであって、前記第２無線基地局は、前記スモールセルにおける移動局に対するリソース割り当てを行うように構成されており、前記第２無線基地局のＲＲＣレイヤ機能は、前記スモールセルにおける前記移動局に対するリソース割り当て結果に基づいて、Ｕ-ｐｌａｎｅ用のＰＤＣＰレイヤ機能、ＲＬＣレイヤ機能及びＭＡＣレイヤ機能の設定を行うように構成されており、前記第２無線基地局は、前記リソース割り当て結果を含むＲＲＣメッセージを生成するように構成されており、前記第２無線基地局のＸ２’-ＡＰ機能は、前記第１無線基地局のＸ２’-ＡＰ機能に対して、前記ＲＲＣメッセージを通知するように構成されており、前記第１無線基地局は、前記移動局に対して、前記ＲＲＣメッセージを通知するように構成されていることを要旨とする。
【００１２】
本発明の第３の特徴は、マクロセルを管理する第１無線基地局と、スモールセルを管理する第２無線基地局とを具備する移動通信システムであって、前記第２無線基地局は、前記スモールセルにおける移動局に対するリソース割り当てを行うように構成されており、前記第２無線基地局のＲＲＣレイヤ機能は、前記スモールセルにおける前記移動局に対するリソース割り当て結果に基づいて、Ｕ-ｐｌａｎｅ用のＰＤＣＰレイヤ機能、ＲＬＣレイヤ機能及びＭＡＣレイヤ機能の設定を行うように構成されており、前記第２無線基地局は、前記リソース割り当て結果を含むＲＲＣメッセージを生成するように構成されており、前記第２無線基地局は、前記移動局に対して、前記ＲＲＣメッセージを通知するように構成されていることを要旨とする。
【００１３】
本発明の第４の特徴は、マクロセルを管理する第１無線基地局と、スモールセルを管理する第２無線基地局とを具備する移動通信システムであって、前記第２無線基地局は、前記スモールセルにおける移動局に対するリソース割り当てを行うように構成されており、前記第２無線基地局のＲＲＣレイヤ機能は、前記スモールセルにおける前記移動局に対するリソース割り当て結果に基づいて、Ｕ-ｐｌａｎｅ用のＰＤＣＰレイヤ機能、ＲＬＣレイヤ機能及びＭＡＣレイヤ機能の設定を行うように構成されており、前記第２無線基地局は、前記リソース割り当て結果を含むＲＲＣメッセージを生成するように構成されており、前記第２無線基地局は、無線状況又は事前設定に基づいて、前記ＲＲＣメッセージを、前記第１無線基地局を介さずに直接前記移動局に送信するか、前記第１無線基地局を介して前記移動局に送信するかについて決定するように構成されていることを要旨とする。
【発明の効果】
【００１４】
以上説明したように、本発明によれば、マクロセルを管理する無線基地局ｅＮＢ及びスモールセルを管理する無線基地局ｅＮＢを用いた「Ｉｎｔｅｒ-ｅＮＢ  ＣＡ」が行われている状況下で、スモールセルにおける移動局ＵＥに対するリソース割り当てを行う際の各無線基地局ｅＮＢ３１/ｅＮＢ＃１０の役割を適切に規定することができる移動通信システムを提供することができる。
【図面の簡単な説明】
【００１５】
【図１】本発明の第１の実施形態に係る移動通信システムの全体構成図である。
【図２】本発明の第１の実施形態に係る移動通信システムを構成する各装置のプロトコルスタック図である。
【図３】本発明の第１の実施形態に係る移動通信システムの動作を示すシーケンス図である。
【図４】本発明の第２の実施形態に係る移動通信システムの全体構成図である。
【図５】本発明の第２の実施形態に係る移動通信システムを構成する各装置のプロトコルスタック図である。
【図６】本発明の第２の実施形態に係る移動通信システムの動作を示すシーケンス図である。
【図７】本発明の第３の実施形態に係る移動通信システムの全体構成図である。
【図８】本発明の第３の実施形態に係る移動通信システムを構成する各装置のプロトコルスタック図である。
【図９】本発明の第３の実施形態に係る移動通信システムの動作を示すシーケンス図である。
【発明を実施するための形態】
【００１６】
（本発明の第１の実施形態に係る移動通信システム）
図１乃至図３を参照して、本発明の第１の実施形態に係る移動通信システムについて説明する。本実施形態に係る移動通信システムとして、ＬＴＥ方式の移動通信システムを例示して説明するが、本発明は、ＬＴＥ方式以外の移動通信システムにも適用可能である。
【００１７】
図１に示すように、本実施形態に係る移動通信システムは、移動管理ノードＭＭＥと、マクロセルを管理する無線基地局ｅＮＢ＃１と、スモールセルを管理する無線基地局ｅＮＢ＃１０とを具備している。
【００１８】
図１に示すように、本実施形態に係る移動通信システムでは、無線基地局ｅＮＢ＃１と無線基地局ｅＮＢ＃１０との間でＸ２コネクション（Ｘ２’-Ｃ）が設定されるように構成されている。
【００１９】
また、本実施形態に係る移動通信システムでは、移動管理ノードＭＭＥと無線基地局ｅＮＢ＃１との間でＳ１コネクション（Ｓ１-Ｃ）が設定され、移動管理ノードＭＭＥと無線基地局ｅＮＢ＃１０との間でＳ１コネクション（Ｓ１-Ｃ）が設定されないように構成されている。
【００２０】
ここで、移動管理ノードＭＭＥは、無線基地局ｅＮＢ＃１０を、既存の無線基地局ｅＮＢとして認識していない。
【００２１】
なお、移動管理ノードＭＭＥから無線基地局ｅＮＢ＃１０宛てのＳ１シグナリング（例えば、ベアラ設定用シグナリング）は、Ｘ２コネクション（Ｘ２’-Ｃ）を介して送信されるように構成されている。
【００２２】
さらに、各移動局ＵＥは、無線基地局ｅＮＢ＃１との間でＲＲＣコネクションを設定し、無線基地局ｅＮＢ＃１０との間でＲＲＣコネクションを設定しないように構成されている。
【００２３】
図２に示すように、移動管理ノードＭＭＥは、プロトコルスタックとして、ＴＮＬ（Ｔｒａｎｓｐｏｒｔ  Ｎｅｔｗｏｒｋ  Ｌａｙｅｒ）-Ｌ１/Ｌ２レイヤ機能と、ＴＮＬ-Ｌ１/Ｌ２レイヤ機能の上位レイヤ機能としてのＩＰ（Ｉｎｔｅｒｎｅｔ  Ｐｒｏｔｏｃｏｌ）レイヤ機能と、ＩＰレイヤ機能の上位レイヤ機能としてのＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）レイヤ機能と、ＳＣＴＰレイヤ機能の上位レイヤ機能としてのＳ１-ＡＰ機能とを具備している。
【００２４】
無線基地局ｅＮＢ＃１は、移動管理ノードＭＭＥ側のプロトコルスタックとして、ＴＮＬ-Ｌ１/Ｌ２レイヤ機能と、ＴＮＬ-Ｌ１/Ｌ２レイヤ機能の上位レイヤ機能としてのＩＰレイヤ機能と、ＩＰレイヤ機能の上位レイヤ機能としてのＳＣＴＰレイヤ機能と、ＳＣＴＰレイヤ機能の上位レイヤ機能としてのＳ１-ＡＰ機能とを具備している。
【００２５】
また、無線基地局ｅＮＢ＃１は、無線基地局ｅＮＢ＃１０側のプロトコルスタックとして、ＴＮＬ-Ｌ１/Ｌ２レイヤ機能と、ＴＮＬ-Ｌ１/Ｌ２レイヤ機能の上位レイヤ機能としてのＩＰレイヤ機能と、ＩＰレイヤ機能の上位レイヤ機能としてのＳＣＴＰレイヤ機能と、ＳＣＴＰレイヤ機能の上位レイヤ機能としてのＸ’２-ＡＰ機能とを具備している。
【００２６】
ここで、Ｘ’２-ＡＰ機能は、無線基地局ｅＮＢ＃１と無線基地局ｅＮＢ＃１０と間のＸ２インターフェイス上の処理を行うことができるように構成されている。
【００２７】
さらに、無線基地局ｅＮＢ＃１は、移動局ＵＥ側のプロトコルスタックとして、物理（ＰＨＹ）レイヤ機能と、物理レイヤ機能の上位レイヤ機能としてのＭＡＣ（Ｍｅｄｉａ  Ａｃｃｅｓｓ  Ｃｏｎｔｒｏｌ）レイヤ機能と、ＭＡＣレイヤ機能の上位レイヤ機能としてのＲＬＣ（Ｒａｄｉｏ  Ｌｉｎｋ  Ｃｏｎｔｒｏｌ）レイヤ機能と、ＲＬＣレイヤ機能の上位レイヤ機能としてのＰＤＣＰ（Ｐａｃｋｅｔ  Ｄａｔａ  Ｃｏｎｖｅｒｇｅｎｃｅ  Ｐｒｏｔｏｃｏｌ）レイヤ機能と、ＰＤＣＰレイヤ機能の上位レイヤ機能としてのＲＲＣ（Ｒａｄｉｏ  Ｒｅｓｏｕｒｃｅ  Ｃｏｎｔｒｏｌ）レイヤ機能と、ＲＲＣレイヤ機能の上位レイヤ機能としてのＲＲＭ（Ｒａｄｉｏ  Ｒｅｓｏｕｒｃｅ  Ｍａｎａｇｅｍｅｎｔ）レイヤ機能とを具備している。
【００２８】
無線基地局ｅＮＢ＃１０は、無線基地局ｅＮＢ＃１側のプロトコルスタックとして、ＴＮＬ-Ｌ１/Ｌ２レイヤ機能と、ＴＮＬ-Ｌ１/Ｌ２レイヤ機能の上位レイヤ機能としてのＩＰレイヤ機能と、ＩＰレイヤ機能の上位レイヤ機能としてのＳＣＴＰレイヤ機能と、ＳＣＴＰレイヤ機能の上位レイヤ機能としてのＸ’２-ＡＰ機能とを具備している。
【００２９】
また、無線基地局ｅＮＢ＃１０は、移動局ＵＥ側のＵ-ｐｌａｎｅ用のプロトコルスタックとして、物理レイヤ機能と、物理レイヤ機能の上位レイヤ機能としてのＭＡＣレイヤ機能と、ＭＡＣレイヤ機能の上位レイヤ機能としてのＲＬＣレイヤ機能と、ＲＬＣレイヤ機能の上位レイヤ機能としてのＰＤＣＰレイヤ機能とを具備している。
【００３０】
ここで、無線基地局ｅＮＢ＃１０は、移動局ＵＥ側のＣ-ｐｌａｎｅ用のプロトコルスタックとしては、物理レイヤ機能と、物理レイヤ機能の上位レイヤ機能としてのＭＡＣレイヤ機能と、ＭＡＣレイヤ機能の上位レイヤ機能としてのＲＬＣレイヤ機能と、ＲＬＣレイヤ機能の上位レイヤ機能としてのＰＤＣＰレイヤ機能とを具備していない。
【００３１】
また、無線基地局ｅＮＢ＃１０は、移動局ＵＥ側のプロトコルスタックとして、ＰＤＣＰレイヤ機能の上位レイヤとしてのＲＲＭレイヤ機能を具備している。
【００３２】
移動局ＵＥは、プロトコルスタックとして、物理レイヤ機能と、物理レイヤ機能の上位レイヤ機能としてのＭＡＣレイヤ機能と、ＭＡＣレイヤ機能の上位レイヤ機能としてのＲＬＣレイヤ機能と、ＲＬＣレイヤ機能の上位レイヤ機能としてのＰＤＣＰレイヤ機能と、ＰＤＣＰレイヤ機能の上位レイヤ機能としてのＲＲＣレイヤ機能とを具備している。
【００３３】
以下、図３を参照して、本実施形態に係る移動通信システムの動作について説明する。具体的には、本実施形態に係る移動通信システムにおける無線リソース割り当て手順について説明する。
【００３４】
なお、かかる無線リソース割り当て手順は、ベアラが設定される際や、「Ｍｅａｓｕｒｅｍｅｎｔ」が設定される際等の様々なケースで用いられる。
【００３５】
図３に示すように、ステップＳ１００１及びＳ１００２において、無線基地局ｅＮＢ＃１は、無線基地局ｅＮＢ＃１０から、無線基地局ｅＮＢ＃１０配下のスモールセルにおけるリソースに係る情報（例えば、空きリソースを示す情報）を取得する。
【００３６】
具体的には、ステップＳ１００１において、無線基地局ｅＮＢ＃１のＸ２’-ＡＰ機能は、無線基地局ｅＮＢ＃１０のＸ２’-ＡＰ機能に対して、かかるリソースに係る情報の要求信号を送信し、ステップＳ１００２において、無線基地局ｅＮＢ＃１０のＸ２’-ＡＰ機能は、かかる要求信号に応じて、無線基地局ｅＮＢ＃１のＸ２’-ＡＰ機能に対して、かかるリソースに係る情報を送信してもよい。
【００３７】
或いは、ステップＳ１００１において、無線基地局ｅＮＢ＃１のＲＲＭレイヤ機能は、無線基地局ｅＮＢ＃１０のＲＲＭレイヤ機能に対して、かかるリソースに係る情報の要求信号を送信し、ステップＳ１００２において、無線基地局ｅＮＢ＃１０のＲＲＭレイヤ機能は、かかる要求信号に応じて、無線基地局ｅＮＢ＃１のＲＲＭレイヤ機能に対して、かかるリソースに係る情報を送信してもよい。
【００３８】
ここで、無線基地局ｅＮＢ＃１は、定期的に、無線基地局ｅＮＢ＃１０から、かかるリソースに係る情報を取得してもよい。
【００３９】
ステップＳ１００３において、無線基地局ｅＮＢ＃１は、かかるリソースに係る情報に基づいて、かかるスモールセルにおける移動局ＵＥに対するリソース割り当てを行う。
【００４０】
具体的には、ステップＳ１００３において、無線基地局ｅＮＢ＃１のＲＲＭレイヤ機能は、かかるリソースに係る情報に基づいて、かかるスモールセルにおける移動局ＵＥに対するリソース割り当てを行ってもよい。
【００４１】
ステップＳ１００４において、無線基地局ｅＮＢ＃１は、かかるスモールセルにおける移動局ＵＥに対するリソース割り当て結果を含むＲＲＣメッセージを生成する。
【００４２】
具体的には、ステップＳ１００４において、無線基地局ｅＮＢ＃１のＲＲＣレイヤ機能は、かかるスモールセルにおける移動局ＵＥに対するリソース割り当て結果を含むＲＲＣメッセージを生成してもよい。
【００４３】
ステップＳ１００５において、無線基地局ｅＮＢ＃１は、移動局ＵＥに対して、かかるＲＲＣメッセージを送信する。
【００４４】
具体的には、ステップＳ１００５において、無線基地局ｅＮＢ＃１のＲＲＣレイヤ機能は、移動局ＵＥのＲＲＣレイヤ機能に対して、かかるＲＲＣメッセージを送信してもよい。かかるＲＲＣメッセージとしては、例えば、「ＲＲＣ  Ｃｏｎｎｅｃｔｉｏｎ  Ｒｅｃｏｎｆｉｇｕｒａｔｉｏｎメッセージ」等が挙げられる。
【００４５】
ここで、無線基地局ｅＮＢ＃１のＲＲＣレイヤ機能は、通常のＳＲＢ（Ｓｉｇｎａｌｉｎｇ  Ｒａｄｉｏ  Ｂｅａｒｅｒ）１を用いて、かかるＲＲＣメッセージを送信してもよい。
【００４６】
ステップＳ１００６において、無線基地局ｅＮＢ＃１は、無線基地局ｅＮＢ＃１０に対して、上述のリソース割り当て結果を通知する。
【００４７】
具体的には、ステップＳ１００６において、無線基地局ｅＮＢ＃１のＸ２’-ＡＰ機能は、無線基地局ｅＮＢ＃１０のＸ２’-ＡＰ機能に対して、Ｘ２-ＡＰメッセージを用いて、上述のリソース割り当て結果を通知してもよい。
【００４８】
或いは、ステップＳ１００６において、無線基地局ｅＮＢ＃１のＸ２’-ＡＰ機能は、無線基地局ｅＮＢ＃１０のＸ２’-ＡＰ機能に対して、上述のリソース割り当て結果に基づいて決定された設定情報を含むトランスペアレントコンテナ（Ｔｒａｎｓｐａｒｅｎｔ  Ｃｏｎｔａｉｎｅｒ）を通知してもよい。
【００４９】
ここで、かかるトランスペアレントコンテナは、所定のＸ２-ＡＰメッセージ内に定義されるものとする。
【００５０】
なお、ステップＳ１００５及びステップＳ１００６の順序は、反対であってもよい。
【００５１】
ステップＳ１００７において、無線基地局ｅＮＢ＃１０は、上述のリソース割り当て結果に基づいて、Ｕ-ｐｌａｎｅ用のＰＤＣＰレイヤ機能、ＲＬＣレイヤ機能及びＭＡＣレイヤ機能の設定を行う。
【００５２】
具体的には、ステップＳ１００７において、無線基地局ｅＮＢ＃１０のＸ２’-ＡＰ機能は、無線基地局ｅＮＢ＃１０のＸ２’-ＡＰ機能から取得した上述のリソース割り当て結果に基づいて、Ｕ-ｐｌａｎｅ用のＰＤＣＰレイヤ機能、ＲＬＣレイヤ機能及びＭＡＣレイヤ機能の設定を行ってもよい。
【００５３】
或いは、ステップＳ１００７において、無線基地局ｅＮＢ＃１０のＸ２’-ＡＰ機能は、無線基地局ＮＢ＃１０におけるＵ-ｐｌａｎｅ用のＰＤＣＰレイヤ機能、ＲＬＣレイヤ機能及びＭＡＣレイヤ機能に対して、上述のトランスペアレントコンテナを転送し、かかるＵ-ｐｌａｎｅ用のＰＤＣＰレイヤ機能、ＲＬＣレイヤ機能及びＭＡＣレイヤ機能は、無線基地局ｅＮＢ＃１０のＸ２’-ＡＰ機能から取得したトランスペアレントコンテナに含まれる設定情報に基づいて設定を行ってもよい。
【００５４】
なお、Ｘ２’-ＡＰ機能は、ＰＤＣＰレイヤ機能、ＲＬＣレイヤ機能及びＭＡＣレイヤ機能との間の内部インターフェイスを具備していてもよい。
【００５５】
ここで、Ｘ２’-ＡＰ機能は、かかる内部インターフェイスを用いて、上述の設定情報に基づいて、ＰＤＣＰレイヤ機能、ＲＬＣレイヤ機能及びＭＡＣレイヤ機能の設定を行ってもよい。
【００５６】
以上に述べた本実施形態の特徴は、以下のように表現されていてもよい。
【００５７】
本実施形態の第１の特徴は、マクロセルを管理する無線基地局ｅＮＢ＃１（第１無線基地局）と、スモールセルを管理する無線基地局ｅＮＢ＃１０（第２無線基地局）とを具備する移動通信システムであって、無線基地局ｅＮＢ＃１は、無線基地局ｅＮＢ＃１０から、かかるスモールセルにおけるリソースに係る情報を取得するように構成されており、無線基地局ｅＮＢ＃１は、かかるリソースに係る情報に基づいて、かかるスモールセルにおける移動局ＵＥに対するリソース割り当てを行うように構成されており、無線基地局ｅＮＢ＃１は、かかるスモールセルにおける移動局ＵＥに対するリソース割り当て結果を含むＲＲＣメッセージを生成して移動局ＵＥに対して送信するように構成されており、無線基地局ｅＮＢ＃１のＸ２’-ＡＰ機能は、無線基地局ｅＮＢ＃１０のＸ２’-ＡＰ機能に対して、上述のリソース割り当て結果を通知するように構成されており、無線基地局ｅＮＢ＃１０は、上述のリソース割り当て結果に基づいて、Ｕ-ｐｌａｎｅ用のＰＤＣＰレイヤ機能、ＲＬＣレイヤ機能及びＭＡＣレイヤ機能の設定を行うように構成されていることを要旨とする。
【００５８】
かかる特徴によれば、マクロセルを管理する無線基地局ｅＮＢ＃１及びスモールセルを管理する無線基地局ｅＮＢ＃１０を用いた「Ｉｎｔｅｒ-ｅＮＢ  ＣＡ」を行うことができる。
【００５９】
本実施形態の第１の特徴において、無線基地局ｅＮＢ＃１のＸ２’-ＡＰ機能は、無線基地局ｅＮＢ＃１０のＸ２’-ＡＰ機能に対して、Ｘ２-ＡＰメッセージを用いて、上述のリソース割り当て結果を通知するように構成されており、無線基地局ｅＮＢ＃１０のＸ２’-ＡＰ機能は、上述のリソース割り当て結果に基づいて、Ｕ-ｐｌａｎｅ用のＰＤＣＰレイヤ機能、ＲＬＣレイヤ機能及びＭＡＣレイヤ機能の設定を行うように構成されていてもよい。
【００６０】
かかる特徴によれば、既存のＬＴＥ-Ｒｅｌｅａｓｅ８方式におけるアーキテクチャーに対する改修を行うことなく、上述の「Ｉｎｔｅｒ-ｅＮＢ  ＣＡ」を行うことができる。
【００６１】
本実施形態の第１の特徴において、無線基地局ｅＮＢ＃１のＸ２’-ＡＰ機能は、無線基地局ｅＮＢ＃１０のＸ２’-ＡＰ機能に対して、上述のリソース割り当て結果に基づいて決定された設定情報を含むトランスペアレントコンテナを送信するように構成されており、無線基地局ｅＮＢ＃１０のＸ２’-ＡＰ機能は、無線基地局ＮＢ＃１０におけるＵ-ｐｌａｎｅ用のＰＤＣＰレイヤ機能、ＲＬＣレイヤ機能及びＭＡＣレイヤ機能に対して、上述のトランスペアレントコンテナを転送するように構成されており、無線基地局ｅＮＢ＃１０におけるＵ-ｐｌａｎｅ用のＰＤＣＰレイヤ機能、ＲＬＣレイヤ機能及びＭＡＣレイヤ機能は、無線基地局ｅＮＢ＃１０のＸ２’-ＡＰ機能から取得したトランスペアレントコンテナに含まれる設定情報に基づいて設定を行うように構成されていてもよい。
【００６２】
かかる特徴によれば、Ｘ２’-ＡＰ機能の処理負荷を軽減しつつ、上述の「Ｉｎｔｅｒ-ｅＮＢ  ＣＡ」を行うことができる。
【００６３】
本実施形態の第１の特徴において、無線基地局ｅＮＢ＃１０のＸ２’-ＡＰ機能は、ＰＤＣＰレイヤ機能、ＲＬＣレイヤ機能及びＭＡＣレイヤ機能との間の内部インターフェイスを具備しており、無線基地局ｅＮＢ＃１０のＸ２’-ＡＰ機能は、かかる内部インターフェイスを用いて、上述のリソース割り当て結果に基づいて、ＰＤＣＰレイヤ機能、ＲＬＣレイヤ機能及びＭＡＣレイヤ機能の設定を行うように構成されていてもよい。
【００６４】
（本発明の第２の実施形態に係る移動通信システム）
図４乃至図６を参照して、本発明の第２の実施形態に係る移動通信システムについて、上述の第１の実施形態に係る移動通信システムとの相違点に着目して説明する。
【００６５】
図４に示すように、本実施形態に係る移動通信システムでは、移動管理ノードＭＭＥと無線基地局ｅＮＢ＃１との間でＳ１コネクション（Ｓ１-Ｃ）が設定され、移動管理ノードＭＭＥと無線基地局ｅＮＢ＃１０との間でＳ１コネクション（Ｓ１-Ｃ）が設定されないように構成されている。
【００６６】
また、移動管理ノードＭＭＥは、各移動局ＵＥに対して、無線基地局ｅＮＢ＃１との間のＳ１コネクション（Ｓ１-Ｃ）を管理し、無線基地局ｅＮＢ＃１０との間のＳ１コネクション（Ｓ１-Ｃ）を管理しないように構成されている。
【００６７】
ここで、移動管理ノードＭＭＥは、無線基地局ｅＮＢ＃１０を、既存の無線基地局ｅＮＢとして認識していない。
【００６８】
なお、移動管理ノードＭＭＥから無線基地局ｅＮＢ＃１０宛てのＳ１シグナリング（例えば、ベアラ設定用シグナリング）は、Ｘ２コネクション（Ｘ２’-Ｃ）を介して送信されるように構成されている。
【００６９】
さらに、各移動局ＵＥは、無線基地局ｅＮＢ＃１との間でＲＲＣコネクションを設定し、無線基地局ｅＮＢ＃１０との間でＲＲＣコネクションを設定しないように構成されている。
【００７０】
図５に示すように、本実施形態に係る無線基地局ｅＮＢ＃１は、上述の第１の実施形態に係る無線基地局ｅＮＢ＃１と異なり、移動局ＵＥ側のプロトコルスタックにおいて、ＲＲＣレイヤ機能の代わりに、Ｍ-ＲＲＣレイヤ機能を具備している。
【００７１】
ここで、Ｍ-ＲＲＣレイヤ機能は、ＲＲＣレイヤ機能の一部の処理について行わないように構成されている。
【００７２】
また、本実施形態に係る無線基地局ｅＮＢ＃１０は、上述の第１の実施形態に係る無線基地局ｅＮＢ＃１０と異なり、移動局ＵＥ側のプロトコルスタックにおいて、ＰＤＣＰレイヤ機能の上位レイヤ機能としてのＳ-ＲＲＣレイヤ機能を具備しており、ＲＲＭレイヤ機能は、Ｓ-ＲＲＣレイヤ機能の上位レイヤ機能として設けられている。
【００７３】
その他のプロトコルスタックは、上述の第１の実施形態に係る移動通信システムにおけるプロトコルスタックと同一である。
【００７４】
以下、図６を参照して、本実施形態に係る移動通信システムの動作について説明する。具体的には、本実施形態に係る移動通信システムにおける無線リソース割り当て手順について説明する。
【００７５】
図６に示すように、ステップＳ２００１において、無線基地局ｅＮＢ＃１は、無線基地局ｅＮＢ＃１０に対して、移動局ＵＥの「ＵＥ  Ｃａｐａｂｉｌｉｔｙ」を通知する。
【００７６】
具体的には、ステップＳ２００１において、無線基地局ｅＮＢ＃１のＲＲＭレイヤ機能は、無線基地局ｅＮＢ＃１０レイヤ機能に対して、移動局ＵＥの「ＵＥ  Ｃａｐａｂｉｌｉｔｙ」を通知してもよい。
【００７７】
ステップＳ２００２において、無線基地局ｅＮＢ＃１０は、かかるスモールセルにおける移動局ＵＥに対するリソース割り当てを行う。
【００７８】
具体的には、ステップＳ２００２において、無線基地局ｅＮＢ＃１０のＲＲＭレイヤ機能は、移動局ＵＥの「ＵＥ  Ｃａｐａｂｉｌｉｔｙ」に基づいて、かかるスモールセルにおける移動局ＵＥに対するリソース割り当てを行ってもよい。
【００７９】
ステップＳ２００３において、無線基地局ｅＮＢ＃１０は、上述のリソース割り当て結果を含むＲＲＣメッセージを生成する。
【００８０】
具体的には、ステップＳ２００３において、無線基地局ｅＮＢ＃１０のＳ-ＲＲＣレイヤ機能は、上述のリソース割り当て結果を含むＲＲＣメッセージを生成してもよい。
【００８１】
ステップＳ２００４において、無線基地局ｅＮＢ＃１０は、無線基地局ｅＮＢ＃１に対して、上述のＲＲＣメッセージを通知する。
【００８２】
具体的には、ステップＳ２００４において、無線基地局ｅＮＢ＃１０のＸ２’-ＡＰ機能は、無線基地局ｅＮＢ＃１のＸ２’-ＡＰ機能に対して、上述のＲＲＣメッセージをトランスペアレントコンテナとして含むＸ２-ＡＰメッセージを送信してもよい。
【００８３】
ステップＳ２００５において、無線基地局ｅＮＢ＃１０は、かかるスモールセルにおける移動局ＵＥに対するリソース割り当て結果に基づいて、Ｕ-ｐｌａｎｅ用のＰＤＣＰレイヤ機能、ＲＬＣレイヤ機能及びＭＡＣレイヤ機能の設定を行う。
【００８４】
具体的には、ステップＳ２００５において、無線基地局ｅＮＢ＃１０のＸ２’-ＡＰ機能は、かかるスモールセルにおける移動局ＵＥに対するリソース割り当て結果に基づいて、Ｕ-ｐｌａｎｅ用のＰＤＣＰレイヤ機能、ＲＬＣレイヤ機能及びＭＡＣレイヤ機能の設定を行ってもよい。
【００８５】
なお、Ｘ２’-ＡＰ機能は、ＰＤＣＰレイヤ機能、ＲＬＣレイヤ機能及びＭＡＣレイヤ機能との間の内部インターフェイスを具備していてもよい。
【００８６】
ここで、Ｘ２’-ＡＰ機能は、かかる内部インターフェイスを用いて、上述のリソース割り当て結果に基づいて、ＰＤＣＰレイヤ機能、ＲＬＣレイヤ機能、ＭＡＣレイヤ機能の設定を行ってもよい。
【００８７】
ステップＳ２００５において、無線基地局ｅＮＢ＃１０は、Ｓ-ＲＲＣレイヤ機能において、上述のスモールセルにおける移動局ＵＥに対するリソース割り当て結果に基づいて、Ｕ-ｐｌａｎｅ用のＰＤＣＰレイヤ機能、ＲＬＣレイヤ機能及びＭＡＣレイヤ機能の設定を行ってもよい。
【００８８】
なお、Ｓ-ＲＲＣレイヤ機能は、ＰＤＣＰレイヤ機能、ＲＬＣレイヤ機能及びＭＡＣレイヤ機能との間の内部インターフェイスを具備していてもよい。
【００８９】
ここで、Ｓ-ＲＲＣレイヤ機能は、かかる内部インターフェイスを用いて、上述のリソース割り当て結果に基づいて、ＰＤＣＰレイヤ機能、ＲＬＣレイヤ機能及びＭＡＣレイヤ機能の設定を行ってもよい。
【００９０】
なお、ステップＳ２００４及びステップＳ２００５の順序は、反対であってもよい。
【００９１】
ステップＳ２００６において、無線基地局ｅＮＢ＃１は、移動局ＵＥに対して、上述のＲＲＣメッセージを通知する。
【００９２】
具体的には、ステップＳ２００６において、無線基地局ｅＮＢ＃１のＭ-ＲＲＣレイヤ機能は、移動局ＵＥに対して、無線基地局ｅＮＢ＃１のＸ２’-ＡＰ機能によって取得された上述のＲＲＣメッセージをそのまま転送してもよい。
【００９３】
或いは、ステップＳ２００６において、無線基地局ｅＮＢ＃１のＭ-ＲＲＣレイヤ機能は、無線基地局ｅＮＢ＃１のＸ２’-ＡＰ機能によって取得された上述のＲＲＣメッセージに基づいて、再度、上述のリソース割り当て結果を含むＲＲＣメッセージを生成して移動局ＵＥに送信してもよい。
【００９４】
以上に述べた本実施形態の特徴は、以下のように表現されていてもよい。
【００９５】
本実施形態の第１の特徴は、マクロセルを管理する無線基地局ｅＮＢ＃１と、スモールセルを管理する無線基地局ｅＮＢ＃１０とを具備する移動通信システムであって、無線基地局ｅＮＢ＃１０は、かかるスモールセルにおける移動局ＵＥに対するリソース割り当てを行うように構成されており、無線基地局ｅＮＢ＃１０のＳ-ＲＲＣレイヤ機能は、かかるスモールセルにおける移動局ＵＥに対するリソース割り当て結果に基づいて、Ｕ-ｐｌａｎｅ用のＰＤＣＰレイヤ機能、ＲＬＣレイヤ機能及びＭＡＣレイヤ機能の設定を行うように構成されており、無線基地局ｅＮＢ＃１０は、上述のリソース割り当て結果を含むＲＲＣメッセージを生成するように構成されており、無線基地局ｅＮＢ＃１０のＸ２’-ＡＰ機能は、無線基地局ｅＮＢ＃１のＸ２’-ＡＰ機能に対して、上述のＲＲＣメッセージを通知するように構成されており、無線基地局ｅＮＢ＃１は、移動局ＵＥに対して、上述のＲＲＣメッセージを通知するように構成されていることを要旨とする。
【００９６】
かかる特徴によれば、マクロセルを管理する無線基地局ｅＮＢ＃１及びスモールセルを管理する無線基地局ｅＮＢ＃１０を用いた「Ｉｎｔｅｒ-ｅＮＢ  ＣＡ」を行うことができる。
【００９７】
本実施形態の第１の特徴において、無線基地局ｅＮＢ＃１は、無線基地局ｅＮＢ＃１０に対して、移動局ＵＥの「ＵＥ  Ｃａｐａｂｉｌｉｔｙ（能力情報）」を通知するように構成されており、無線基地局ｅＮＢ＃１０は、かかる移動局ＵＥの「ＵＥ  Ｃａｐａｂｉｌｉｔｙ」に基づいて、上述のリソース割り当てを行うように構成されていてもよい。
【００９８】
かかる特徴によれば、無線基地局ｅＮＢ＃１０が、移動局ＵＥの「ＵＥ  Ｃａｐａｂｉｌｉｔｙ」に基づいて、柔軟且つ適切に、上述のリソース割り当てを行うことができる。  
（本発明の第３の実施形態に係る移動通信システム）
図７乃至図９を参照して、本発明の第３の実施形態に係る移動通信システムについて、上述の第１の実施形態に係る移動通信システムとの相違点に着目して説明する。
【００９９】
図７に示すように、本実施形態に係る移動通信システムでは、移動管理ノードＭＭＥと無線基地局ｅＮＢ＃１との間でＳ１コネクション（Ｓ１-Ｃ）が設定され、移動管理ノードＭＭＥと無線基地局ｅＮＢ＃１０との間でＳ１コネクション（Ｓ１-Ｃ）が設定されないように構成されている。
【０１００】
また、移動管理ノードＭＭＥは、各移動局ＵＥに対して、無線基地局ｅＮＢ＃１との間のＳ１コネクション（Ｓ１-Ｃ）を管理し、無線基地局ｅＮＢ＃１０との間のＳ１コネクション（Ｓ１-Ｃ）を管理しないように構成されている。
【０１０１】
ここで、移動管理ノードＭＭＥは、無線基地局ｅＮＢ＃１０を、既存の無線基地局ｅＮＢとして認識していない。
【０１０２】
なお、移動管理ノードＭＭＥから無線基地局ｅＮＢ＃１０宛てのＳ１シグナリング（例えば、ベアラ設定用シグナリング）は、Ｘ２コネクション（Ｘ２’-Ｃ）を介して送信されるように構成されている。
【０１０３】
さらに、各移動局ＵＥは、無線基地局ｅＮＢ＃１との間でＲＲＣコネクションを設定し、無線基地局ｅＮＢ＃１０との間でＲＲＣコネクションを設定するように構成されている。
【０１０４】
図８に示すように、本実施形態に係る移動通信システムにおけるプロトコルスタックは、上述の第２の実施形態に係る移動通信システムにおけるプロトコルスタックと同一である。
【０１０５】
以下、図９を参照して、本実施形態に係る移動通信システムの動作について説明する。具体的には、本実施形態に係る移動通信システムにおける無線リソース割り当て手順について説明する。
【０１０６】
図９に示すように、ステップＳ３００１において、無線基地局ｅＮＢ＃１は、無線基地局ｅＮＢ＃１０に対して、移動局ＵＥの「ＵＥ  Ｃａｐａｂｉｌｉｔｙ」を通知する。
【０１０７】
具体的には、ステップＳ３００１において、無線基地局ｅＮＢ＃１のＲＲＭレイヤ機能は、無線基地局ｅＮＢ＃１０レイヤ機能に対して、移動局ＵＥの「ＵＥ  Ｃａｐａｂｉｌｉｔｙ」を通知してもよい。
【０１０８】
ステップＳ３００２において、無線基地局ｅＮＢ＃１０は、かかるスモールセルにおける移動局ＵＥに対するリソース割り当てを行う。
【０１０９】
具体的には、ステップＳ３００２において、無線基地局ｅＮＢ＃１０のＲＲＭレイヤ機能は、移動局ＵＥの「ＵＥ  Ｃａｐａｂｉｌｉｔｙ」に基づいて、かかるスモールセルにおける移動局ＵＥに対するリソース割り当てを行ってもよい。
【０１１０】
ステップＳ３００３において、無線基地局ｅＮＢ＃１０は、上述のリソース割り当て結果を含むＲＲＣメッセージを生成する。
【０１１１】
具体的には、ステップＳ３００３において、無線基地局ｅＮＢ＃１０のＳ-ＲＲＣレイヤ機能は、上述のリソース割り当て結果を含むＲＲＣメッセージを生成してもよい。
【０１１２】
ステップＳ３００４において、無線基地局ｅＮＢ＃１０は、無線基地局ｅＮＢ＃１を介さずに、直接、移動局ＵＥに対して、上述のＲＲＣメッセージを通知する。
【０１１３】
具体的には、ステップＳ３００４において、無線基地局ｅＮＢ＃１０のＳ-ＲＲＣレイヤ機能は、移動局ＵＥのＲＲＣレイヤ機能に対して、上述のＲＲＣメッセージを通知してもよい。
【０１１４】
ここで、無線基地局ｅＮＢ＃１０のＳ-ＲＲＣレイヤ機能は、新たに定義されたＳＲＢ（例えば、ＳＲＢ３）を用いて、移動局ＵＥのＲＲＣレイヤ機能に対して、上述のＲＲＣメッセージを通知してもよい。
【０１１５】
既存のＬＴＥ方式では、２つのＳＲＢが設けられており、１つのＳＲＢは、１つのＰＤＣＰレイヤ機能にマッピングされており、１つのＳＲＢは、１つのＲＬＣレイヤ機能にマッピングされているため、無線基地局ｅＮＢ＃１０のＳ-ＲＲＣレイヤ機能が、上述のＲＲＣメッセージを通知するためには、新たなＳＲＢが必要になる。
【０１１６】
ステップＳ３００５において、無線基地局ｅＮＢ＃１０は、かかるスモールセルにおける移動局ＵＥに対するリソース割り当て結果に基づいて、Ｕ-ｐｌａｎｅ用のＰＤＣＰレイヤ機能、ＲＬＣレイヤ機能及びＭＡＣレイヤ機能の設定を行う。
【０１１７】
具体的には、ステップＳ３００５において、無線基地局ｅＮＢ＃１０のＸ２’-ＡＰ機能は、かかるスモールセルにおける移動局ＵＥに対するリソース割り当て結果に基づいて、Ｕ-ｐｌａｎｅ用のＰＤＣＰレイヤ機能、ＲＬＣレイヤ機能及びＭＡＣレイヤ機能の設定を行ってもよい。
【０１１８】
なお、Ｘ２’-ＡＰ機能は、ＰＤＣＰレイヤ機能、ＲＬＣレイヤ機能及びＭＡＣレイヤ機能との間の内部インターフェイスを具備していてもよい。
【０１１９】
ここで、Ｘ２’-ＡＰ機能は、内部インターフェイスを用いて、上述のリソース割り当て結果に基づいて、ＰＤＣＰレイヤ機能、ＲＬＣレイヤ機能、ＭＡＣレイヤ機能の設定を行ってもよい。
【０１２０】
また、ステップＳ３００５において、無線基地局ｅＮＢ＃１０では、ＲＲＣ機能は、上述のスモールセルにおける移動局ＵＥに対するリソース割り当て結果にもとづいて、Ｕ-ｐｌａｎｅ用のＰＤＣＰレイヤ機能、ＲＬＣレイヤ機能およびＭＡＣレイヤ機能の設定を行ってもよい。
【０１２１】
なお、Ｓ-ＲＲＣレイヤ機能は、ＰＤＣＰレイヤ機能、ＲＬＣレイヤ機能及びＭＡＣレイヤ機能との間の内部インターフェイスを具備していてもよい。
【０１２２】
ここで、Ｓ-ＲＲＣ機能は、内部インターフェイスを用いて、上述のリソース割り当て結果に基づいて、ＰＤＣＰレイヤ機能、ＲＬＣレイヤ機能及びＭＡＣレイヤ機能の設定を行ってもよい。
【０１２３】
なお、ステップＳ３００４及びステップＳ３００５の順序は、反対であってもよい。
【０１２４】
ここで、上述の無線基地局ｅＮＢ＃１０から移動局ＵＥへのＲＲＣメッセージは、以下の方法で送信されてもよい。
【０１２５】
第１の方法では、無線基地局ｅＮＢ＃１０が、ＲＲＣメッセージを生成し、かかるＲＲＣメッセージをトランスペアレントコンテナで無線基地局ｅＮＢ＃１に送信し、無線基地局ｅＮＢ＃１が、かかるＲＲＣメッセージをそのまま移動局ＵＥに送信する。
【０１２６】
一方、第２の方法では、無線基地局ｅＮＢ＃１０が、無線基地局ｅＮＢ＃１に対して、「Ｉｎｔｅｒ  ｎｏｄｅ  ＲＲＣメッセージ」送信し、無線基地局ｅＮＢが、上述のＲＲＣメッセージを生成して、かかるＲＲＣメッセージを移動局ＵＥに送信する。
【０１２７】
無線基地局ｅＮＢ＃１０は、状況によって、上述のＲＲＣメッセージを、直接、移動局ＵＥに送信するか、無線基地局ｅＮＢ＃１を介して送信するかについて決定することができる。
【０１２８】
例えば、無線基地局ｅＮＢ＃１０は、無線基地局ｅＮＢ＃１と移動局ＵＥとの間の無線状況（ＲＳＲＰ/ＲＳＲＱ/ＱＣＩ等）に基づいて、上述の決定を行ってもよいし、事前設定（ＯＡＭ）に基づいて、上述の決定を行ってもよい。
【０１２９】
以上に述べた本実施形態の特徴は、以下のように表現されていてもよい。
【０１３０】
本実施形態の第１の特徴は、マクロセルを管理する無線基地局ｅＮＢ＃１と、スモールセルを管理する無線基地局ｅＮＢ＃１０とを具備する移動通信システムであって、無線基地局ｅＮＢ＃１０は、かかるスモールセルにおける移動局ＵＥに対するリソース割り当てを行うように構成されており、無線基地局ｅＮＢ＃１０のＳ-ＲＲＣレイヤ機能は、かかるスモールセルにおける移動局ＵＥに対するリソース割り当て結果に基づいて、Ｕ-ｐｌａｎｅ用のＰＤＣＰレイヤ機能、ＲＬＣレイヤ機能及びＭＡＣレイヤ機能の設定を行うように構成されており、無線基地局ｅＮＢ＃１０は、上述のリソース割り当て結果を含むＲＲＣメッセージを生成するように構成されており、無線基地局ｅＮＢ＃１０は、移動局ＵＥに対して、上述のＲＲＣメッセージを通知するように構成されていることを要旨とする。
【０１３１】
かかる特徴によれば、マクロセルを管理する無線基地局ｅＮＢ＃１及びスモールセルを管理する無線基地局ｅＮＢ＃１０を用いた「Ｉｎｔｅｒ-ｅＮＢ  ＣＡ」を行うことができる。
【０１３２】
本実施形態の第１の特徴において、無線基地局ｅＮＢ＃１は、無線基地局ｅＮＢ＃１０に対して、移動局ＵＥの「ＵＥ  Ｃａｐａｂｉｌｉｔｙ（能力情報）」を通知するように構成されており、無線基地局ｅＮＢ＃１０は、かかる移動局ＵＥの「ＵＥ  Ｃａｐａｂｉｌｉｔｙ」に基づいて、上述のリソース割り当てを行うように構成されていてもよい。
【０１３３】
かかる特徴によれば、無線基地局ｅＮＢ＃１０が、移動局ＵＥの「ＵＥ  Ｃａｐａｂｉｌｉｔｙ」に基づいて、柔軟且つ適切に、上述のリソース割り当てを行うことができる。  
なお、上述の移動管理ノードＭＭＥや無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１３４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１３５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥや無線基地局ｅＮＢや移動局ＵＥ内に設けられていてもよい。また、かかる記憶媒体及びプロセッサは、ディスクリートコンポーネントとして移動管理ノードＭＭＥや無線基地局ｅＮＢや移動局ＵＥ内に設けられていてもよい。
【０１３６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１３７】
ＵＥ…移動局
ｅＮＢ＃１/ｅＮＢ＃１０…無線基地局
ＭＭＥ…移動管理ノード
【図１】
2015012418.tif 000003
【図２】
2015012418.tif 000004
【図３】
2015012418.tif 000005
【図４】
2015012418.tif 000006
【図５】
2015012418.tif 000007
【図６】
2015012418.tif 000008
【図７】
2015012418.tif 000009
【図８】
2015012418.tif 000010
【図９】
2015012418.tif 000011